(57)【特許請求の範囲】
【請求項１】
記録媒体に記録された画像データを再生し、再生画像データを出力する画像再生装置と、
前記画像再生装置から前記再生画像データを取得し、色処理を施して表示する画像表示装置とにより構成される画像表示システムであって、
前記画像再生装置は、前記再生画像データと、前記再生画像データが撮影された撮影機器の表現できる色範囲に対応する、前記画像表示装置における色処理を制限するための色処理制御情報とを前記画像表示装置に出力する出力手段を備え、
前記画像表示装置は、前記色処理制御情報に基づき、前記撮影機器の表現できる色範囲が第１の範囲である場合、前記再生画像データに対する色処理を禁止し、前記撮影機器の表現できる色範囲が前記第１の範囲より小さい第２の範囲である場合、前記再生画像データに対する色処理を禁止しない制御手段を備えたことを特徴とする画像表示システム。
【請求項２】
前記色処理制御情報は、撮影機器情報、撮影モード情報、撮影時の色調整情報、撮影者情報の少なくともいずれか１つに対応する情報であることを特徴とする請求項１に記載の画像表示システム。
【請求項３】
前記画像再生装置は、前記再生画像データに関連付けられている撮影情報に基づいて前記色処理制御情報を生成する色処理制御情報生成手段を備え、
前記撮影情報は、撮影機器情報、撮影モード情報、撮影時の色調整情報、撮影者情報のうちの少なくともいずれか１つを含む情報であることを特徴とする請求項１または２に記載の画像表示システム。
【請求項４】
前記画像再生装置は、撮影手段と、前記色処理制御情報を前記撮影手段により撮影された画像データに関連付けて前記記録媒体に記録する記録手段とを備えたことを特徴とする請求項１乃至３のいずれか１項に記載の画像表示システム。
【請求項５】
前記再生画像データは複数フレームからなる画像データであり、
前記色処理制御情報は１つの前記再生画像データに対して複数関連付けられていることを特徴とする請求項１乃至４のいずれか１項に記載の画像表示システム。
【請求項６】
前記画像表示装置における色処理には彩度を強調する処理及び色相を補正する処理のうち少なくとも１つが含まれることを特徴とする請求項１乃至５のいずれか１項に記載の画像表示システム。
【請求項７】
画像データを取得し、色処理を施して表示する画像表示装置であって、
前記画像データに関連付けられた、前記画像データが撮影された撮影機器の表現できる色範囲に対応する前記色処理を制限するための色処理制御情報を取得する取得手段と、
前記取得手段により取得した前記色処理制御情報に基づき、前記撮影機器の表現できる色範囲が第１の範囲である場合、前記画像データに対する色処理を禁止し、前記撮影機器の表現できる色範囲が前記第１の範囲より小さい第２の範囲である場合、前記再生画像データに対する色処理を禁止しない制御手段とを備えたことを特徴とする画像表示装置。
【請求項８】
前記色処理制御情報は、撮影機器情報、撮影モード情報、撮影時の色調整情報、撮影者情報の少なくともいずれか１つに対応する情報であることを特徴とする請求項７に記載の画像表示装置。
【請求項９】
前記画像データは複数フレームからなり、
前記色処理制御情報は１つの前記画像データに対して複数関連付けられていることを特徴とする請求項７または８に記載の画像表示装置。
【請求項１０】
前記色処理には彩度を強調する処理及び色相を補正する処理のうち少なくとも１つが含まれることを特徴とする請求項７乃至９のいずれか１項に記載の画像表示装置。
【請求項１１】
記録媒体に記録された画像データを再生し、再生画像データを出力する画像再生装置と、前記画像再生装置から前記再生画像データを取得し、色処理を施して表示する画像表示装置とによる画像表示方法であって、
前記画像再生装置が、前記再生画像データと、前記再生画像データが撮影された撮影機器の表現できる色範囲に対応する、前記画像表示装置における色処理を制限するための色処理制御情報とを前記画像表示装置に出力する出力ステップを実行し、
前記画像表示装置が、前記色処理制御情報に基づき、前記撮影機器の表現できる色範囲が第１の範囲である場合、前記再生画像データに対する色処理を禁止し、前記撮影機器の表現できる色範囲が前記第１の範囲より小さい第２の範囲である場合、前記再生画像データに対する色処理を禁止しない制御ステップとを有することを特徴とする画像表示方法。
【請求項１２】
画像データを取得し、色処理を施して表示する画像表示装置の制御方法であって、
前記画像データに関連付けられた、前記画像データが撮影された撮影機器の表現できる色範囲に対応する前記色処理を制限するための色処理制御情報を取得する取得する取得ステップと、
前記取得ステップにより取得した前記色処理制御情報に基づき、前記撮影機器の表現できる色範囲が第１の範囲である場合、前記画像データに対する色処理を禁止し、前記撮影機器の表現できる色範囲が前記第１の範囲より小さい第２の範囲である場合、前記再生画像データに対する色処理を禁止しない制御ステップとを有することを特徴とする画像表示装置の制御方法。
【請求項１３】
画像再生装置から再生画像データを取得し、色処理を施して表示する画像表示装置を制御するためのプログラムであって、
前記画像再生装置から、前記再生画像データが撮影された撮影機器の表現できる色範囲に応じて生成される前記色処理を制限するための色処理制御情報を取得する処理と、
前記取得した前記色処理制御情報に基づき、前記撮影機器の表現できる色範囲が第１の範囲である場合、前記再生画像データに対する色処理を禁止し、前記撮影機器の表現できる色範囲が前記第１の範囲より小さい第２の範囲である場合、前記再生画像データに対する色処理を禁止しない処理とをコンピュータに実行させるためのプログラム。
【請求項１４】
請求項１２に記載の画像表示装置の制御方法の各ステップをコンピュータに実行させるためのプログラム。
【請求項１５】
請求項１２に記載の画像表示装置の制御方法の各ステップをコンピュータに実行させるためのプログラムが記憶されたことを特徴とするコンピュータ読み取り可能な記憶媒体。
【発明の詳細な説明】
【技術分野】
【０００１】
本発明は、画像再生装置において記録媒体に記録された画像データを再生し、画像表示装置において該再生画像データに色処理を施して表示する技術に関する。
【背景技術】
【０００２】
従来から、ＤＶＤプレーヤー等の画像再生装置、テレビ受像機等の画像表示装置が知られている。画像再生装置は画像表示装置に静止画像や動画像の画像データを出力し、画像表示装置は受信した画像データを表示する。
【０００３】
近年は、画像再生装置と画像表示装置との接続にＨＤＭＩ（High Definition Multimedia Interface）等のデジタルインターフェースが用いられている。ＨＤＭＩでは、画像再生装置と画像表示装置との間で、画像データだけでなく、制御コマンドを伝送することが可能である。これにより、例えば画像表示装置のアスペクト比を画像再生装置に通知し、画像再生装置は画像表示装置のアスペクトに応じた画像を出力することが可能となっている（例えば特許文献１を参照）。
【０００４】
また、画像表示装置において、放送信号の色域であるＩＴＵ−Ｒ ＢＴ．７０９やＩＴＵ−Ｒ ＢＴ．６０９よりも広い色域まで表現できる液晶ディスプレイ等の画像表示装置が提案されている（例えば特許文献２を参照）。これらの広色域の表示能力を活用するために、入力画像データに彩度を強調する処理を施して表示する画像表示装置が提案されている（例えば特許文献３参照）。これらの画像表示装置によって入力画像をより鮮やかに再現することが可能となる。
【０００５】
ここで、画像表示装置で施される彩度強調処理について説明する。図９は、ｘｙ色度図における彩度強調の様子を示す図である。図９において、９１はＩＴＵ−Ｒ ＢＴ．７０９規格のデータが取り得る色範囲を示し、９２は画像表示装置が表示可能な色範囲を示す。このように画像表示装置が表示可能な色範囲９２が入力画像データであるＩＴＵ−Ｒ ＢＴ．７０９の色範囲９１に対して広い場合は、彩度強調処理を施し、入力画像をより鮮やかに再現することができる。彩度強調処理は、図９に示すようにＩＴＵ−Ｒ ＢＴ．７０９の高彩度部分をさらに伸張する色処理である。
【先行技術文献】
【特許文献】
【０００６】
【特許文献１】特開２００５−１０９７０３号公報
【特許文献２】特開２００５−２３４１３２号公報
【特許文献３】特開２００５−２０４１３６号公報
【発明の概要】
【発明が解決しようとする課題】
【０００７】
上述した画像表示装置では、放送信号であるＩＴＵ−Ｒ ＢＴ．７０９（もしくはＢＴ．６０９）の信号が入力されることを前提として彩度強調処理を施している。しかしながら、デジタルビデオカメラ等の一部の機器では、ＩＴＵ−Ｒ ＢＴ．７０９で定義される範囲を越える画像データを生成することがあり、画像表示装置にＩＴＵ−Ｒ ＢＴ．７０９を越える色範囲の画像データが入力される場合がある。
【０００８】
ここで、図１０に、ＩＴＵ−Ｒ ＢＴ．７０９の信号が取り得る輝度信号Ｙ及び色差信号（Ｃｒ及びＣｂ）のデジタルデータの範囲を示す。ＩＴＵ−ＲＢＴ．７０９では、輝度信号が１６〜２３５、色差信号が１６〜２４０までの範囲を取り得る。さらに、ＹＣｒＣｂからＲＧＢに変換した際に０＜Ｒ、Ｇ、Ｂ＜１の範囲に収まる範囲のデータをとることが可能である（図１０の斜線の範囲）。しかしながら、デジタルビデオカメラ等の一部の機器では、ＩＴＵ−Ｒ ＢＴ．７０９で定義される信号範囲を越える範囲の画像データを生成することがあり、例えば輝度信号で１６以下、２３５以上、色差信号で１６以下、２４０以上の画像データを生成する場合がある。
【０００９】
すなわち、デジタルビデオカメラ等の一部の機器では、ＩＴＵ−Ｒ ＢＴ．７０９よりも広い色範囲を表現していることになる。図１１に、これらの色範囲の関係を示す。デジタルビデオカメラはこのように広い色範囲のデータであっても、ＩＴＵ−Ｒ ＢＴ．７０９の信号として画像データを生成している。そのため、画像表示装置において放送波と同様の彩度強調処理が施されると、既に彩度が高く記録されている画像データに過度な彩度強調が行われることになるため、彩度が強調されすぎてしまうという問題が生じていた。
【００１０】
また、デジタルビデオカメラの撮影者が意図的に色を設定して（例えば彩度を控えめに）撮影したにも関わらず、画像表示装置において彩度強調処理が施されると、撮影者の意図通りに画像が表示されないという問題も生じていた。
【００１１】
本発明は上記のような点に鑑みてなされたものであり、画像表示装置において不適切な色処理が施されないようにすることを目的とする。
【課題を解決するための手段】
【００１２】
本発明の画像表示システムは、記録媒体に記録された画像データを再生し、再生画像データを出力する画像再生装置と、前記画像再生装置から前記再生画像データを取得し、色処理を施して表示する画像表示装置とにより構成される画像表示システムであって、前記画像再生装置は、前記再生画像データと、前記再生画像データが撮影された撮影機器の表現できる色範囲に対応する、前記画像表示装置における色処理を制限するための色処理制御情報とを前記画像表示装置に出力する出力手段を備え、前記画像表示装置は、前記色処理制御情報に基づき、前記撮影機器の表現できる色範囲が第１の範囲である場合、前記再生画像データに対する色処理を禁止し、前記撮影機器の表現できる色範囲が前記第１の範囲より小さい第２の範囲である場合、前記再生画像データに対する色処理を禁止しない制御手段を備えたことを特徴とする。
【発明の効果】
【００１３】
本発明によれば、画像表示装置において色処理制御情報に基づいて再生画像データに色処理が施されるので、不適切な色処理が施されないようにすることができる。
【図面の簡単な説明】
【００１４】
【図１】第１の実施形態における画像表示システムの構成を示すブロック図である。
【図２】第１の実施形態における色処理制御情報生成部の処理動作を説明するためのフローチャートである。
【図３】第１の実施形態における再生装置と表示装置のコマンドの通知を示した図である。
【図４】第２の実施形態における画像表示システムの構成例を示すブロック図である。
【図５】第２の実施形態における撮像・記録部の構成を示すブロック図である。
【図６】第２の実施形態における色処理制御情報生成部の処理動作を説明するためのフローチャートである。
【図７】第２の実施形態における再生部の構成を示すブロック図である。
【図８】第２の実施形態における色処理制御情報の記録位置を示す図である。
【図９】彩度強調を示す概念図である。
【図１０】ＹＣｒＣｂ空間の色範囲を示す図である。
【図１１】ｘｙ色度図の色範囲を示す図である。
【発明を実施するための形態】
【００１５】
以下、添付図面を参照して、本発明の好適な実施形態について説明する。
（第１の実施形態）
本発明の第１の実施形態として、ＤＶＤ等の光ディスクを再生するＤＶＤプレーヤー等の画像再生装置と、テレビ受像機等の画像表示装置（例えば液晶ディスプレイ）とからなる画像表示システムを例に説明する。図１は、第１の実施形態における画像表示システムの構成を示すブロック図である。図１において、１０００は圧縮画像データを記録した記録媒体（ここではＤＶＤ等の光ディスク）、１１００は画像再生装置、１２００は画像表示装置である。
【００１６】
画像再生装置１１００は、光ディスク１０００に記録された画像データを再生し、出力する。１１０１はディスクインターフェース（ディスクＩ／Ｆ）であり、光ピックアップ、モータ等から構成される。１１０２は誤り訂正部である。１１０３は分離部であり、読み込んだデータを画像データや撮影情報に分離する。１１０４はデコーダであり、画像データを復号化する。１１０５は出力部であり、復号化した画像データを出力する。１１１０は制御部であり、画像再生装置１１００の全体を制御する。１１２０は操作部であり、ユーザからの入力操作を受け付ける。１１３０は色処理制御情報生成部であり、画像表示装置１２００における色処理を制御するための色処理制御情報を生成する。
【００１７】
画像表示装置１２００は、画像再生装置１１００から再生画像データを取得し、色処理を施して表示する。１２０１は入力部であり、画像データの入力を受け付ける。１２１０は画像処理部であり、輝度処理部１２１１及び色処理部１２１２を含む。１２２０は表示部であり、画像処理部１２１０により画像処理された画像を表示する。１２３０は制御部であり、画像表示装置１２００の全体を制御する。
【００１８】
＜画像再生装置１１００の処理動作＞
画像再生装置１１００において、ユーザによる操作部１１２０への再生操作を受け付けると、制御部１１１０は、ディスクＩ／Ｆ１１０１に対して光ディスク１０００のデータ読み込みを指示する。ディスクＩ／Ｆ１１０１は、光ディスク１０００から指定データを読み込み、誤り訂正部１１０２に出力する。誤り訂正部１１０２は、データの誤り訂正を行った後、データを分離部１１０３に出力する。
【００１９】
分離部１１０３は、入力データを画像データ及び音声データ、撮影情報に分離した後、画像データをデコーダ１１０４に出力し、また、撮影情報を色処理制御情報生成部１１３０に出力する。撮影情報は画像データのメタデータとして記録されているデータであり、画像データを撮影機器により撮影した際に生成される。本実施形態では、撮影情報として撮影機器情報（撮影機器ＩＤ）、撮影モード情報、撮影時の色調整情報が記録されているものとする。なお、本実施形態では、説明の簡略化のため音声データについての説明は省略し、画像データ及び撮影情報を扱うものとする。デコーダ１１０４は、入力されたＭＰＥＧ２形式等で符号化された画像データを復号化し、画像データを出力部１１０５に出力する。
【００２０】
色処理制御情報生成部１１３０は、撮影情報に基づいて、画像表示装置１２００における色処理を制御するための色処理制御情報を生成する（本発明でいう色処理制御情報生成手段による処理である）。
【００２１】
ここで、図２のフローチャートを参照して、色処理制御情報生成部１１３０の処理動作について説明する。図２は、色処理制御情報生成部１１３０の処理動作を説明するためのフローチャートである。ステップＳ２００１では、撮影機器ＩＤに基づいて、対象の撮影機器で撮影された画像データであるかどうかを判断する。撮影機器ＩＤは、光ディスク１０００に記録された画像データを撮影した撮影機器のメーカＩＤ及び機器ＩＤから構成されている。また、画像再生装置１１００は不図示のメモリを内部に備えており、該メモリに色処理制御情報生成部１１３０が制御可能な撮影機器のメーカＩＤ及び機器ＩＤのリストを記録している。ステップＳ２００１では、撮影機器ＩＤをメモリに記録された制御可能機器リストと照合し、光ディスク１０００に記録された画像データが処理の対象となる機器で撮影された画像データであるかどうかを判断する。その結果、対象の撮影機器で撮影された画像データである場合はステップＳ２００２に進み、そうでない場合はステップＳ２００５に進む。
【００２２】
ステップＳ２００２では、撮影モード情報に基づいて、撮影時にマニュアルモードで撮影されたかどうかを判断する。マニュアルモードで撮影された画像データである場合にはステップＳ２００３に進み、オートモードで撮影された画像データである場合にはステップＳ２００５に進む。
【００２３】
ステップＳ２００３では、撮影時の色調整情報に基づいて、撮影時に色調整が行われたかどうかをチェックする。撮影時の色調整情報とは、例えばユーザが撮影時に意図的に彩度を上げる等の調整を行ったか否かの情報である。色調整が行われている場合にはステップＳ２００４に進み、色調整が行われていない場合はステップＳ２００５に進む。
【００２４】
ステップＳ２００４では、画像表示装置１２００における彩度強調処理を禁止する色処理制御情報を生成する。一方、ステップＳ２００５では、画像表示装置１２００における彩度強調処理を許可する色処理制御情報を生成する。
【００２５】
このように、マニュアルモードでユーザが操作して色調整を行っている場合は、ユーザが意図して色を決めていると考えられ、この場合に画像表示装置１２００において彩度強調処理が施されると、ユーザの意図した色と異なる色が表示されてしまう。そこで、ユーザによる色調整が行われている場合は、画像表示装置１２００における彩度強調処理を禁止する色処理制御情報を生成することで、ユーザの意図した色で表示されるようにすることができる。
【００２６】
図１に説明を戻して、出力部１１０５は、ＨＤＭＩ等のデジタルインターフェースで構成されており、画像データと共に、画像表示装置１２００のインターフェースである入力部１２０１との間で制御コマンドをやり取りすることが可能である。出力部１１０５は、画像データの出力時もしくは画像表示装置１２００との接続時に色制御に関するコマンドを送信する。
【００２７】
コマンドの送信例を図３に示す。図３に示すように、画像再生装置１１００の出力部１１０５は、画像表示装置１２００に色処理制御情報の受け入れが可能か否かを問い合わせる（ステップＳ３０１）。画像表示装置１２００は、色処理制御情報を受け付けることが可能である場合には、入力部１２０１を介して受け付け可能のコマンド通知を行う（ステップＳ３０２）。画像再生装置１１００は、画像表示装置１２００から受け付け可能のコマンド通知を受け取ると（すなわち、画像表示装置が色処理制御情報の受け入れが可能な場合）、画像データと共に色処理制御情報を送信する（ステップＳ３０３）。
【００２８】
＜画像表示装置１２００の処理動作＞
画像表示装置１２００において、入力部１２０１は、画像再生装置１１００の出力部１１０５と同様にＨＤＭＩ等のデジタルインターフェースで構成されている。入力部１２０１は、画像データ及び色処理制御情報を入力として受け取ると、画像データを画像処理部１２１０に、色処理制御情報を制御部１２３０に出力する。
【００２９】
画像処理部１２１０は、輝度処理部１２１１及び色処理部１２１２を含み、入力された画像データにリサイズ処理やＩＰ変換等の各種の画像処理を施す。輝度処理部１２１１は、輝度信号に対してガンマ処理や輪郭強調処理等を施す。色処理部１２１２は、色相補正処理や彩度強調処理等を施す。
【００３０】
制御部１２３０は、入力部１２０１から色処理制御情報を受け取り、色処理制御情報に基づいて色処理部１２１２における色処理を制御する。すなわち、色処理制御情報が彩度強調処理を禁止する内容であれば、色処理部１２１２において彩度強調処理を施さないように制御する。また、彩度強調処理を許可する内容であれば、色処理部１２１２において彩度強調を施すように制御する。これが、本発明でいう制御手段による処理例である。
【００３１】
表示部１２２０は、画像処理部１２１０により処理された輝度信号及び色信号に基づいて画像を表示する。
【００３２】
以上説明したように、本実施形態における画像再生装置１１００は、画像データに関連付けられている撮影情報に基づいて、画像表示装置１２００における色処理を制御するための色処理制御情報を生成し、画像表示装置１２００に出力する。画像表示装置１２００は、画像再生装置１１００から取得された色処理制御情報に基づいて画像データに対する色処理を制御する。これにより、画像表示装置１２００における色処理（彩度強調処理等）を禁止する等の制御が可能となる。例えば既に広い色範囲を利用して撮影された画像データや、撮影者が意図的に色を設定したと考えられる画像データに、不適切な色処理が施されないようにすることができる。
【００３３】
なお、本実施形態における画像再生装置１１００の色処理制御情報生成部１１３０は、撮影機器ＩＤ、撮影モード情報、撮影時の色調整情報に基づいて色処理制御情報を生成したが、それ以外にも、撮影時の情報であれば例えば撮影者情報等を利用してもかまわない。また、撮影機器ＩＤのみで判断する等、一種類のみの情報に基づいて色処理制御情報を生成してもかまわない。例えば、撮影機器ＩＤによって、広い色範囲を備えるビデオカメラで撮影された画像データであることが分かれば、画像表示装置１２００における彩度強調処理を禁止する等の制御が可能となる。
【００３４】
また、画像再生装置１１００や画像表示装置１２００のインターフェースとしてＨＤＭＩを例に説明したが、これに限定するものではない。すなわち、画像データと共に色処理制御情報を出力できるインターフェースであれば、例えばネットワークを介して送信する等どのような形態でもかまわない。
【００３５】
また、本実施形態における画像表示装置１２００の色処理として彩度強調処理を例に説明したが、色相の変更等の色に関する処理であればどのような処理であってもかまわない。
【００３６】
（第２の実施形態）
第２の実施形態では、撮影時に色処理制御情報を生成する例について説明する。第２の実施形態における画像再生装置として、画像記録再生機能を有する撮影機器を例に説明する。
【００３７】
図４は、第２の実施形態における画像表示システムの構成を示すブロック図である。図４において、４０００は圧縮画像データを記録した記録媒体（ここではＤＶＤ等の光ディスク）、４１００は画像記録再生機能を有するデジタルビデオカメラ等の撮影機器、１２００は画像表示装置である。なお、画像表示装置１２００は上記第１の実施形態で説明したものと同様であり、その詳細な説明は省略する。
【００３８】
撮影機器４１００において、４３００は撮像・記録部であり、撮像素子により撮影画像データを光ディスク４０００に記録する。４４００は画像再生部であり、光ディスク４０００に記録された画像データを再生する。４５００は出力部であり、画像再生部４４００により再生された画像データを画像表示装置１２００に出力する。
【００３９】
＜撮像・記録部４３００の処理動作＞
図５に撮像・記録部４３００の構成を示す。撮像・記録部４３００において、４３０１はレンズ等の光学系である。４３０２はＣＣＤ等の撮像素子である。４３０３はＡ／Ｄ変換部である。４３０４はＹ／Ｃ分離部である。４３０５は輝度信号処理部である。４３０６は色信号処理部である。４３０７はエンコーダである。４３０８は記録部である。４３１０は制御部である。４３２０は操作部である。４３３０は色処理制御情報生成部である。また、光ディスク４０００及び出力部４５００は、図４における光ディスク４０００および出力部４５００に対応している。
【００４０】
撮像・記録部４３００の処理動作について説明する。ユーザによる操作部４３２０への撮影操作を受け付けると、撮影処理を開始する。撮像素子４３０２は、光学系４３０１を介して入力された光束を画像信号に変換する。Ａ／Ｄ変換部４３０３は、画像信号をデジタルデータに変換し、Ｙ／Ｃ分離部４３０４に送る。Ｙ／Ｃ分離部４３０４は、画像データを輝度信号及び色信号に分離し、輝度信号処理部４３０５及び色信号処理部４３０６にそれぞれ出力する。輝度信号処理部４３０５は、輪郭強調やガンマ補正等の処理を行う。また、色信号処理部４３０６は、色相や彩度の変換処理やホワイトバランス補正等の処理を行う。
【００４１】
また、操作部４３２０は、ユーザからモード変更や画質変更の操作を受け付けることが可能である。すなわち、ユーザによるマニュアル撮影やオート撮影のモードの切り替えや、色を鮮やかにする等の設定操作を受け付けることができる。操作部４３２０が受け付けた制御情報は、制御部４３１０に入力される。制御部４３１０は、ユーザによる色調整情報に基づいて、色信号処理部４３０６を制御し、色の彩度を上げる等の色調整を行う。また、制御部４３１０は、モード情報及び色調整情報を色処理制御情報生成部４３３０に出力する。
【００４２】
色処理制御情報生成部４３３０は、制御部４３１０から出力された撮影モード情報及び色調整情報に基づいて、画像表示装置１２００における色処理を制御するための色処理制御情報を生成する。
【００４３】
ここで、図６のフローチャートを参照して、色処理制御情報生成部４３３０の処理動作について説明する。図６は、色処理制御情報生成部４３３０の処理動作を説明するためのフローチャートである。ステップＳ６００１では、撮影モード情報がマニュアルモードであるかどうかを判断する。マニュアルモードで撮影された場合にはステップＳ６００２に進み、オートモードで撮影された場合にはステップＳ６００４に進む。
【００４４】
ステップＳ６００２では、撮影時に色調整が行われたかどうかを判断する。色調整が行われている場合にはステップＳ６００３に進み、色調整が行われていない場合はステップＳ６００４に進む。
【００４５】
ステップＳ６００３では、画像表示装置１２００における彩度強調処理を禁止する色処理制御情報を生成する。一方、ステップＳ６００４では、画像表示装置１２００における彩度強調処理を許可する色処理制御情報を生成する。
【００４６】
図５に説明を戻して、色処理制御情報生成部４３３０は、上記のように生成した色処理制御情報をエンコーダ４３０７に出力する。エンコーダ４３０７は、輝度信号処理部４３０５及び色信号処理部４３０６から出力された画像データをＭＰＥＧ２等の所定の符号化方式でエンコードする。このとき、エンコーダ４３０７は、色処理制御情報生成部４３３０から出力された色処理制御情報をエンコードした画像データのヘッダ部に付加して記録部４３０８に出力する。記録部４３０８は、エンコードした画像データを光ディスク４０００に記録する。
【００４７】
また、色処理制御情報生成部４３３０は、上記のように生成した色処理制御情報を出力部４５００にも出力する。出力部４５００は、カメラ信号処理部からの出力画像データ及び色処理制御情報を第１の実施形態と同様の方法で画像表示装置１２００の入力部１２０１に出力する。これにより、カメラ信号処理部からの画像データをエンコードせずに、画像表示装置１２００に直接出力する場合においても色処理制御情報を併せて出力することが可能となる。
【００４８】
＜画像再生部４４００の処理動作＞
図７に画像再生部４４００の構成を示す。画像再生部４４００において、４４０１はディスクＩ／Ｆであり、光ピックアップ、モータ等から構成される。４４０２は誤り訂正部である。４４０３は分離部であり、読み込んだデータを画像データや撮影情報に分離する。４４０４はデコーダであり、画像データを復号化する。４４１０は制御部であり、撮影機器４１００の全体を制御する。４４２０は操作部であり、ユーザからの入力を受け付ける。４４３０は色処理制御情報取得部であり、画像表示装置１２００に出力する色処理制御情報を取得する。また、光ディスク４０００及び出力部４５００は、図４における光ディスク４０００及び出力部４５００に対応している。
【００４９】
ユーザによる操作部４４２０への光ディスク４０００に記録されたデータの再生操作を受け付けると、制御部４４１０はディスクＩ／Ｆ４４０１へ光ディスク４０００のデータ読み込みを指示する。ディスクＩ／Ｆ４４０１は、光ディスク４０００から指定データを読み込み誤り訂正部４４０２に出力する。誤り訂正部４４０２は、データの誤り訂正を行った後、データを分離部４４０３に出力する。
【００５０】
分離部４４０３は、入力データを画像データ及び音声データに分離し、画像データをデコーダ４４０４に出力する。本実施形態でも説明の簡略化のため音声データを省略して説明する。デコーダ４４０４は、入力されたＭＰＥＧ２形式等で符号化された画像データを復号化し、画像データを出力部４５００に出力する。また、ヘッダ情報を色処理制御情報取得部４４３０に出力する。色処理制御情報取得部４４３０は、上述の撮影時の処理によりヘッダ部に記録された色処理制御情報を取得し、出力部４５００に出力する。出力部４５００は、第１の実施形態と同様の方法で画像データ及び色処理制御情報を画像表示装置１２００の入力部１２０１に出力する。
【００５１】
＜画像表示装置１２００の処理動作＞
画像表示装置１２００の構成及び処理動作は、第１の実施形態で説明したとおりであり、その詳細な説明は省略する。すなわち、撮影機器４１００から取得した色処理制御情報に基づいて、色処理部１２１２の彩度強調処理を切り替える。
【００５２】
以上説明したように、本実施形態における撮影機器４１００は、撮影時の撮影情報に基づいて色処理制御情報を生成し、撮影画像データに付加して光ディスク４０００に記録する。また、光ディスク４０００に記録された画像データを再生する際に、その画像データに付加された色処理制御情報を取得し、画像表示装置１２００に出力する。画像表示装置１２００は、撮影機器４１００から取得された色処理制御情報に基づいて画像データに色処理を施す。これにより、撮影機器４１００で撮影した画像データは、画像データに付加された色処理制御情報を取得し、画像表示装置１２００に出力する画像再生装置であれば、どのような再生装置でも適切に再生可能となる。すなわち、第１の実施形態で説明したように、画像再生装置が、撮影情報に基づいて色処理制御情報を生成する機能を備えていない場合でも、色処理制御情報を画像表示装置１２００に出力して、色処理を制御することが可能となる。
【００５３】
なお、本実施形態における撮影機器４１００の色処理制御情報生成部４３３０は、撮影モード情報、撮影時の色調整情報に基づいて色処理制御情報を生成したが、撮影時の情報であれば上記以外の情報を利用してもかまわない。例えば、ユーザが操作部４３２０から、画像表示装置１２００における彩度強調処理を許可するか禁止するかのモードを選択できるようにしておき、そのモード情報に基づいて色処理制御情報を生成するようにしてもよい。
【００５４】
また、本実施形態では、撮影画像データのヘッダ部に色処理制御情報を記録する例について述べた。これに加えて、例えば時間的に色処理制御情報が変化するような場合には、周期的に色処理制御情報を撮影画像データに記録してもよい。図８はＭＰＥＧ２におけるヘッダ部の構成を示す図である。ＭＰＥＧ２では１フレームのデータに対してピクチャヘッダ部が付加される。そこで、周期的に色処理制御情報を付加する場合には、ピクチャヘッダのユーザ定義領域等に周期的に付加する方法で実施できる。また、上記以外の方法で周期的に色処理制御情報を付加してもかまわない。
【００５５】
また、色処理制御情報を撮影画像データのヘッダ部に記録することに限定するものではない。例えば、撮影画像データと関連付けて記録媒体に記録しておく方法等、撮影画像データから対応する色処理制御情報が取得できれば、どのような形態であってもかまわない。
【００５６】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００５７】
この場合、記憶媒体から読み出されたプログラムコード自体が上述した実施形態の機能を実現することになり、プログラムコード自体及びそのプログラムコードを記憶した記憶媒体は本発明を構成することになる。
【００５８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５９】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００６０】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【符号の説明】
【００６１】
１０００  光ディスク
１１００  画像再生装置
１２００  画像表示装置
１１０１  ディスクＩ／Ｆ
１１０２  誤り訂正部
１１０３  分離部
１１０４  デコーダ
１１０５  出力部
１１１０  制御部
１１２０  操作部
１２０１  入力部
１２１０  画像処理部
１２１１  輝度処理部
１２１２  色処理部
１２２０  表示部
１２３０  制御部
【図１】
0005414846.tif 000002
【図２】
0005414846.tif 000003
【図３】
0005414846.tif 000004
【図４】
0005414846.tif 000005
【図５】
0005414846.tif 000006
【図６】
0005414846.tif 000007
【図７】
0005414846.tif 000008
【図８】
0005414846.tif 000009
【図９】
0005414846.tif 000010
【図１０】
0005414846.tif 000011
【図１１】
0005414846.tif 000012